【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
直交周波数分割多重通信法に従う無線ネットワークアクセスを提供する様に構成されたモデム装置であって、
前記直交周波数分割多重通信法に従い構成され、ベースバンド処理コンポーネントと無線周波数処理コンポーネントと、を含むハードウェアサブシステムを含み、
前記ベースバンド処理コンポーネントは、
前記直交周波数分割多重通信法に従い時間ドメインと周波数ドメインとの間での変換を行う様に構成された第１変換器コンポーネントと、
パラレルデータフォーマットとシリアルデータフォーマットとの間での変換を行う様に構成され、前記第１変換器と動作可能に結合される第２変換器コンポーネントと、
を有し、
前記無線周波数処理コンポーネントは、制御情報に応答するサイクリックプレフィクス処理コンポーネントを、有し、
前記モデム装置は、
前記ベースバンド処理コンポーネントと前記ＲＦ処理コンポーネントとの間に配置され、前記第２変換器と前記サイクリックプレフィクス処理コンポーネントに動作可能に結合されるデジタルインタフェースと、を備えているモデム装置。
【請求項２】
請求項１に記載のモデム装置であって、
前記無線周波数処理コンポーネントは、第３変換器コンポーネントを有し、前記サイクリックプレフィクス処理コンポーネントは、前記第３変換器コンポーネントと前記デジタルインタフェースとの間に配置される、モデム装置。
【請求項３】
請求項２に記載のモデム装置であって、
前記第３変換器コンポーネントは、デジタル−アナログ変換器である、モデム装置。
【請求項４】
請求項２に記載のモデム装置であって、
前記第３変換器コンポーネントは、アナログ−デジタル変換器である、モデム装置。
【請求項５】
請求項１から４のいずれか１項に記載のモデム装置であって、
前記ハードウェアサブシステムは、前記無線周波数処理コンポーネント、前記ベースバンド処理コンポーネント及び前記デジタルインタフェースを有する送受信機を備えている、モデム装置。
【請求項６】
請求項１から５のいずれか１項に記載のモデム装置であって、
前記無線周波数処理コンポーネント、前記ベースバンド処理コンポーネント及び前記デジタルインタフェースは、送信機チェインをサポートする様に構成されている、モデム装置。
【請求項７】
請求項１から６のいずれか１項に記載のモデム装置であって、
前記無線周波数処理コンポーネント、前記ベースバンド処理コンポーネント及び前記デジタルインタフェースは、受信機チェインをサポートする様に構成されている、モデム装置。
【請求項８】
請求項１から７のいずれか１項に記載のモデム装置であって、
前記ハードウェアサブシステムは、前記制御情報からタイミングデータを抽出する様に構成され、前記サイクリックプレフィクス処理コンポーネントは、受信シンボル信号のサイクリックプレフィクスの位置を計算する様に構成される、モデム装置。
【請求項９】
請求項８に記載のモデム装置であって、
前記ベースバンド処理コンポーネントは、前記無線周波数処理コンポーネントに前記制御情報を通信する様に構成されたタイミング誤差トラッキングコンポーネントを有し、前記制御情報は、前記タイミングデータを有する、モデム装置。
【請求項１０】
請求項９に記載のモデム装置であって、
前記タイミング誤差トラッキングコンポーネントは、タイミング誤差の変化を識別し、前記タイミング誤差の前記変化の検出に応答して、更新されたタイミングデータを前記無線周波数処理コンポーネントに通信する様に構成される、モデム装置。
【請求項１１】
請求項９に記載のモデム装置であって、
前記タイミング誤差トラッキングコンポーネントは、無線通信システムのサブフレーム当たり、少なくとも１回の割合で、前記タイミングデータを前記サイクリックプレフィクス処理コンポーネントに通信する様に構成される、モデム装置。
【請求項１２】
請求項１１に記載のモデム装置であって、
前記タイミング誤差トラッキングコンポーネントは、サブフレーム境界で、前記タイミングデータを通信する様に構成される、モデム装置。
【請求項１３】
請求項６に記載のモデム装置であって、
前記ベースバンド処理コンポーネントから前記無線周波数処理コンポーネントに通信されるシンボルは、複数のサンプルを含み、
前記第２変換器は、前記シンボルの最後のＮサンプルを、前記シンボルの残りのサンプルの通信前に、前記無線周波数処理コンポーネントに通信する様に構成される、モデム装置。
【請求項１４】
請求項６に記載のモデム装置であって、
前記無線周波数処理コンポーネントは、前記直交周波数分割多重通信法でサポートされるサイクリックプレフィクスの最大可能長に対応するサイズのバッファを含む、モデム装置。
【請求項１５】
請求項１４に記載のモデム装置であって、
前記サイクリックプレフィクス処理コンポーネントは、前記バッファを含み、前記バッファは、前記デジタルインタフェースのデータチャネルと動作可能に結合され、前記ベースバンド処理コンポーネントにより前記無線周波数処理コンポーネントに通信される、所定数の受信サンプルを格納する様に構成され、サンプルの前記所定数は、現在使用されているサイクリックプレフィクスの長さに対応する、モデム装置。
【請求項１６】
請求項１４に記載のモデム装置であって、
前記サイクリックプレフィクス処理コンポーネントは、前記バッファにアクセスし、前記バッファに格納されているサンプルを、前記格納されているサンプルの元のシンボルの残りのサンプルに追加する、モデム装置。
【請求項１７】
請求項１から１６のいずれか１項に記載のモデム装置であって、
前記サイクリックプレフィクス処理コンポーネントは、第１サイクリックプレフィクス長及び第２サイクリックプレフィクス長の使用に従い動作する様に構成され、
前記サイクリックプレフィクス処理コンポーネントは、前記制御情報に応答し、前記制御情報の少なくとも部分に応答して、前記第１サイクリックプレフィクス長及び前記第２サイクリックプレフィクス長の１つを選択する様に構成される、モデム装置。
【請求項１８】
請求項１７に記載のモデム装置であって、
前記制御情報は、サイクリックプレフィクス長の設定を含む、モデム装置。
【請求項１９】
請求項６に従属する請求項１８に記載のモデム装置であって、
前記サイクリックプレフィクス長の設定は、タイミングアドバンスコマンドの受信に応答して更新される、モデム装置。
【請求項２０】
請求項１から１９のいずれか１項に記載のモデム装置であって、
前記ハードウェアサブシステムは、ロングタームエボリューション無線通信標準に従う直交周波数分割多重をサポートする、モデム装置。
【請求項２１】
請求項１から２０のいずれか１項に記載のモデム装置を含む通信装置。
【請求項２２】
請求項２１に記載の通信装置を含むユーザ装置ユニット。
【請求項２３】
請求項１から２０のいずれか１項に記載のモデム装置を含む通信システム。
【請求項２４】
直交周波数分割多重通信法に従う無線ネットワークアクセスを提供する様に構成されたモデム装置におけるサイクリックプレフィクスの処理方法であって、
ベースバンド処理コンポーネントが、前記直交周波数分割多重通信法に従い時間ドメインと周波数ドメインとの間で信号を変換することと、
ベースバンド処理コンポーネントが、パラレルデータフォーマットとシリアルデータフォーマットとの間でデータを変換することと、
無線周波数処理コンポーネントが、制御情報に応答してサイクリックプレフィクスデータを処理することと、
前記パラレルデータフォーマットと前記シリアルデータフォーマットとの間の変換に関連付けられたノードと、前記サイクリックプレフィクスの処理に関連付けられたノードとの間でデータを通信するため、デジタルインタフェースが、前記ベースバンド処理コンポーネントと前記無線周波数処理コンポーネントとの間をインタフェースすることと、
を含む処理方法。
【手続補正２】
【補正対象書類名】明細書
【補正対象項目名】０００６
【補正方法】変更
【補正の内容】
【０００６】
本発明の第１態様によると、直交周波数分割多重通信法に従う無線ネットワークアクセスを提供する様に構成されたモデム装置が提供され、前記装置は、直交周波数分割多重通信法に従い構成され、ベースバンド処理コンポーネントと無線周波数処理コンポーネントとを含むハードウェアサブシステムを有し、ベースバンド処理コンポーネントは、直交周波数分割多重通信法に従い時間ドメインと周波数ドメインとの間での変換を行う様に構成された第１変換器コンポーネントと、パラレルデータフォーマットとシリアルデータフォーマットとの間での変換を行う様に構成され、第１変換器と動作可能に結合される第２変換器コンポーネントと、を有し、無線周波数処理コンポーネントは、制御情報に応答するサイクリックプレフィクス処理コンポーネントを有し、前記装置は、ベースバンド処理コンポーネントとＲＦ処理コンポーネントとの間に配置され、第２変換器とサイクリックプレフィクス処理コンポーネントに動作可能に結合されるデジタルインタフェースを備えている。
【手続補正３】
【補正対象書類名】明細書
【補正対象項目名】００１４
【補正方法】変更
【補正の内容】
【００１４】
ベースバンド処理コンポーネントは、タイミング誤差トラッキングコンポーネントを含み、タイミング誤差トラッキングコンポーネントは、制御情報を無線周波数処理コンポーネントに通信する様に構成され得る。制御情報は、タイミングデータを含み得る。
【手続補正４】
【補正対象書類名】明細書
【補正対象項目名】００４５
【補正方法】変更
【補正の内容】
【００４５】
動作中（図５）、Ｍデータビットのブロックは、ベースバンドＩＣ３０２の上流ベースバンド処理ユニット３０８のデータマッパ（図示せず）及び波形生成器（図示せず）を使用し、中心周波数が零のキャリア信号上で直交振幅変調（ＱＡＭ）される。上流ベースバンド処理ユニット３０８は、ＬＴＥ標準に従い、Ｍ×１５ｋＨｚの帯域幅を占有するＱＡＭ波形に対応する振幅及び位相の、Ｍ個の均等間隔で隣接するサブキャリアの集合を生成するため、デジタルフーリエ変換ユニット（図示せず）により、変調されたキャリア信号を離散フーリエ変換（ステップ５０２）の対象とする。隣接するサブキャリアの集合は、サブキャリアマッピングユニット（３１０）により、ＬＴＥ標準の全帯域幅に渡る、Ｎサブキャリアのより大きな集合の部分にマッピングされる（ステップ５０４）。マッピング後、Ｎサブキャリアの全集合は、ＦＦＴサイズ要求に適合させるため、サブキャリアゼロパディングユニット３１２による未使用サブキャリアゼロパディング処理（ステップ５０６）の対象とされ、パディング処理されたサブキャリアは、パラレル時間ドメインデジタル波形を生成するため、ＩＦＦＴユニット３１４による高速逆フーリエ変換（ステップ５０８）の対象となる。デジタル時間ドメイン波形は、デジタルインタフェース３０６を介してＲＦ  ＩＣ３０４に通信されるシリアルデジタル波形を生成するため、パラレル−シリアル変換器ユニット３１６によりパラレルフォーマットからシリアルフォーマットに変換（ステップ５１０）される。サイクリックプレフィクスは、ＲＦ  ＩＣ３０４に送信されるシリアルデジタル波形の最後のＮサンプルから生成される必要があるため、サイクリックプレフィクスを生成するために使用されるデータは、パラレルーシリアル変換器３１６から読み出され、最初に、つまり、シリアルデジタル波形の残りの前に、ベースバンドＩＣ３０２からＲＦ  ＩＣ３０４に送信される。続いて、シリアルデジタル波形の残りのサイクリックプレフィクスに関連しないデータが、ベースバンドＩＣ３０２からＲＦ  ＩＣ３０４に送信される。シリアルデジタル波形の最後のＮサンプルは、よって、ＲＦ  ＩＣ３０４によって、シリアルデジタル波形のサンプルの残りの前に受信され、サイクリックプレフィクス付加ユニット３１８によって処理される。この点に関し、ＬＴＥ標準は、２つ以上のサイクリックプレフィクスの長さをサポートしているので、シリアルデジタル波形のサンプルの上述した処理を実行するために使用される上りリンクサイクリックプレフィクスの長さをサイクリックプレフィクス付加ユニット３１８に提供する必要がある。結果、プロトコルソフトウェアコンポーネント４０２は、ＰＤＳＣＨを介するシステム情報ブロックデータ、特に、ＳｙｓｔｅｍＩｎｆｏｒｍａｔｉｏｎＢｌｏｃｋＴｙｐｅ２に対するアクセスを有し、そこから、プロトコルソフトウェアコンポーネント４０２は、使用される上りリンクサイクリックプレフィクスの長さを抽出する。プロトコルソフトウェアコンポーネント４０２は、上りリンク／下りリンク制御データインタフェース４０４を介して上りリンクサイクリックプレフィクスレジスタ４００に、使用される上りリンクサイクリックプレフィクスの長さを書き込む。使用される上りリンクサイクリックプレフィクスの長さは、サイクリックプレフィクス付加ユニット３１８により、上りリンクサイクリックプレフィクスレジスタ４００から読み出される（ステップ５１２）。サイクリックプレフィクス付加ユニット３１８は、シンボル毎に、受信した所定シンボルのシリアルデジタル波形の最後のＮサンプルの各コピーをバッファに格納し、格納されるデータ量は、上りリンクサイクリックプレフィクスレジスタ４００から読み出された上りリンクサイクリックプレフィクスの長さに従い選択される。その後、ベースバンドＩＣ３０２から送信されたサンプルがＲＦ  ＩＣ３０４により完全に受信されると、受信シンボルの格納された部分が、サイクリックプレフィクス付加ユニット３１８によりバッファから読み出され、所定シンボルを完成させるため、所定シンボルに関して受信した最後のサンプルの終わり部分に付加される（ステップ５１４）。この例において、シンボルのサンプルが、サイクリックプレフィクス付加ユニット３１８により受信されると、サンプルは、デジタル−アナログ変換器３２０によりデジタルドメインからアナログドメインに変換され（ステップ５１６）、アナログ信号出力は、ＲＦ信号を形成するため、ＲＦ処理回路３２２の残りの部分に関連して上述したアップコンバータによりアップコンバートされる（ステップ５１８）。結果、本例において、サンプルが、最後のＮサンプルとは別に、下流側に向けてデジタル−アナログ変換器３２０及び他の処理コンポーネントに渡されると、バッファに格納された最後のＮサンプルは、サンプルストリームに効果的に付加され、シンボルに関する先行サンプルと同様にデジタル−アナログ変換器に渡されるので、シンボルは再構成され、"オンザフライ"でさらに処理される。よって、これは、ベースバンドＩＣ３０２とＲＦ  ＩＣ３０４との間でサイクリックプレフィクスサンプルが２度送信されることを効果的に防ぎ、よって、デジタルインタフェース３０６を横切るデータ帯域幅の利用を減少させる。もちろん、他の実装の可能性も考慮でき、例えば、バッファは、シンボルの総てのサンプルを格納する様に拡張でき、サイクリックプレフィクス付加ユニット３１８は、まず、シンボルの開始及び終わりに関するバッファ格納位置の点で最後のＮサンプルを格納する様に構成され、その後、サイクリックプレフィクス付加ユニット３１８により受信される残りのサンプルに対して、最後のＮサンプルの２つの位置間で格納位置を調整する。その後、付加したサイクリックプレフィクスを含むシンボルが再構成されると、サンプルは、デジタル−アナログ変換器３２０によりデジタルドメインからアナログドメインに変換され（ステップ５１６）、その後、アナログ信号出力は、ＲＦ信号を形成するため、ＲＦ処理回路３２２の残りの部分に関連して上述したアップコンバータによりアップコンバートされる（ステップ５１８）。アップコンバートされたＲＦ信号は、アンテナ２１０による放射前のデュプレクサ２０８に適用される前に、ＲＦ処理回路３２２の残りの部分に関連して上述した電力増幅器により増幅される（ステップ５２０）。
【手続補正５】
【補正対象書類名】明細書
【補正対象項目名】００４７
【補正方法】変更
【補正の内容】
【００４７】
現在のＬＴＥ標準では、複数の長さのサイクリックプレフィクスが存在し、選択されるサイクリックプレフィクスは、伝搬を考慮して決定される。この例において、サイクリックプレフィクス処理ユニットは、データ送信にモデムが使用すべきである可能なサイクリックプレフィクス長の指示を含む、上りリンクサイクリックプレフィクスレジスタ４００のコンテンツに応答する。シンボルの最後のＮサンプルは、ベースバンドＩＣ３０２により前もって送信され、（シンボルのサンプルの前につけることに加えて）受信シンボルの残りのサンプルの最後に付加する必要があるので、サイクリックプレフィクス処理ユニットは、シンボルを完成させるために使用されるデータをバッファに格納する。
【手続補正６】
【補正対象書類名】明細書
【補正対象項目名】００５２
【補正方法】変更
【補正の内容】
【００５２】
図７に戻り、受信機チェイン６１４の残りは、サブキャリアディマッピングユニット６１２の出力と動作可能に結合される入力を有する、チャネル推定ユニット７００を有する。チャネル推定ユニット７００の第１出力は、チャネル等化ユニット７０２の入力と動作可能に結合され、チャネル等化ユニット７０２の出力は、復調、シリアルーパラレル変換器、ディレート整合及びチャネル復号を含む、受信機チェイン２０６の他の機能コンポーネントと動作可能に結合される。受信機チェイン６１４のこれら及び残りのコンポーネントは、当業者には容易に理解され、ここで設定した本発明の概念の理解には関係しないため、ここでは詳細な説明は行わない。チャネル推定ユニット７００の第２出力は、タイミング誤差トラッキングユニット７０４の第１入力と動作可能に結合される。タイミング誤差トラッキングユニット７０４は、本例ではサイクリックプレフィクス除去ユニット６０４であるサイクリックプレフィクス処理ユニットと、デジタルインタフェース３０６の上りリンク／下りリンク制御データインタフェース４０４を介して通信できる。ＲＦ  ＩＣ３０４は、サイクリックプレフィクス除去ユニット６０４がアクセスできる下りリンクサイクリックプレフィクスレジスタ７０６を有する。ベースバンドＩＣ  ３０２のセルサーチモジュール７０８は、例えば、ベースバンドＩＣ３０２の入力において、デジタルインタフェース３０６のデータチャネルと動作可能に結合され、セルサーチモジュール７０８は、タイミング誤差トラッキングユニット７０４と動作可能に結合される。さらに、セルサーチモジュール７０８は、デジタルインタフェース３０６の上りリンク／下りリンク制御データインタフェース４０４を介して、下りリンクサイクリックプレフィクスレジスタ７０６に書き込みを行うことができる。下りリンクサイクリックプレフィクスレジスタ７０６は、ＦＦＴユニット６０８のサイズも格納する。